(57)【特許請求の範囲】
【請求項１】
メニューの設定や現在時刻の計時機能を有するマイクロコンピュータと、前記マイクロコンピュータに電源供給する電源プラグと、前記マイクロコンピュータに電源供給する電気二重層コンデンサおよび一次電池と、表示装置と、を備え、
前記電源プラグからの電源供給停止時に、最初に電気二重層コンデンサからマイクロコンピュータへ電源供給を行い、続いて一次電池から前記マイクロコンピュータへ電源供給を行うようにし、
前記電気二重層コンデンサからマイクロコンピュータへ電源供給を行っている際に、前記電気二重層コンデンサからマイクロコンピュータへの電源供給時の状態を前記表示装置に表示し、前記一次電池から前記マイクロコンピュータへの電源供給を行っている際には、前記表示装置への表示を停止する、ことを特徴とする調理器。
【発明の詳細な説明】
【技術分野】
【０００１】
本発明は、電源プラグからの電源供給が停止した場合のバックアップ用電源を有する調理器に関するものである。
【背景技術】
【０００２】
従来、自動製パン機、炊飯器などの調理器では、一次電池を搭載していて、電源プラグからの電源供給が停止した場合では、一次電池でマイクロコンピュータを動作させて、現在時刻や設定内容の記憶を行っていた（例えば、特許文献１参照）。
【０００３】
図４は、特許文献１に記載された従来の自動製パン機の回路図を示すものである。図４に示すように、マイクロコンピュータ２は、メニューの設定や現在時刻の計時機能を有し
ている。表示装置３は、液晶表示装置により構成し、メニュー、調理状態や現在時刻などを表示するようにしている。スイッチ４はメニューの設定や調理のスタートじなどに操作するものである。一次電池５はマイクロコンピュータ２にバックアップ用の電源供給するものである。ＺＶＰ検知回路７は電源プラグ１からの電源供給の正弦波を検知するものである。
【０００４】
上記構成において、電源プラグ１から電源供給時においては、マイクロコンピュータ２からの信号により表示装置３に「現在時刻」を表示している（待機状態）。つぎに、電源プラグ１を外して、電源供給停止に切り替わると、ＺＶＰ検知回路７からの正弦波の信号がなくなることで、マイクロコンピュータ２からの信号により、表示装置３に「電源オフ」と「現在時刻」の表示に切り替える。また、一次電池５により、マイクロコンピュータ２への電源供給は継続される。
【特許文献１】特開平９−１７３２１５号公報
【発明の開示】
【発明が解決しようとする課題】
【０００５】
しかしながら、上記従来の構成では、電源プラグ１からの電源供給を停止した場合の一次電池５による電源供給においては、常に、一次電池５からの供給によりマイクロコンピュータ２を駆動するために、一次電池５の消費電流が多くなってしまっていた。
【０００６】
本発明は、上記従来の課題を解決するもので、電源プラグからの電源供給停止時に、電気二重層コンデンサおよび一次電池から電源供給し、一次電池の消費電流を減らすことを目的としている。
【課題を解決するための手段】
【０００７】
本発明は上記目的を達成するために、メニューの設定や現在時刻の計時機能を有するマイクロコンピュータと、前記マイクロコンピュータに電源供給する電源プラグと、前記マイクロコンピュータに電源供給する電気二重層コンデンサおよび一次電池と、表示装置と、を備え、前記電源プラグからの電源供給停止時に、最初に電気二重層コンデンサからマイクロコンピュータへ電源供給を行い、続いて一次電池から前記マイクロコンピュータへ電源供給を行うようにし、前記電気二重層コンデンサからマイクロコンピュータへ電源供給を行っている際に、前記電気二重層コンデンサからマイクロコンピュータへの電源供給時の状態を前記表示装置に表示し、前記一次電池から前記マイクロコンピュータへの電源供給を行っている際には、前記表示装置への表示を停止する、よう構成したものである。
【０００８】
これにより、電源プラグからの電源供給停止時に、電気二重層コンデンサおよび一次電池から電源供給することにより、一次電池の消費電流を減らすことができる。
【発明の効果】
【０００９】
本発明の調理器は、電源プラグからの電源供給停止時に、電気二重層コンデンサおよび一次電池から電源供給することにより、一次電池の消費電流を減らすことができる。
【発明を実施するための最良の形態】
【００１０】
第１の発明は、メニューの設定や現在時刻の計時機能を有するマイクロコンピュータと、前記マイクロコンピュータに電源供給する電源プラグと、前記マイクロコンピュータに電源供給する電気二重層コンデンサおよび一次電池と、表示装置と、を備え、前記電源プラグからの電源供給停止時に、最初に電気二重層コンデンサからマイクロコンピュータへ電源供給を行い、続いて一次電池から前記マイクロコンピュータへ電源供給を行うようにし、前記電気二重層コンデンサからマイクロコンピュータへ電源供給を行っている際に、前記電気二重層コンデンサからマイクロコンピュータへの電源供給時の状態を前記表示装
置に表示し、前記一次電池から前記マイクロコンピュータへの電源供給を行っている際には、前記表示装置への表示を停止する、よう構成したものであり、電源プラグからの電源供給停止時には、一次電池および電気二重層コンデンサからマイクロコンピュータへ電源供給を行うことで、一次電池の消費電流を減らすことができる。
【００１１】
以下、本発明の実施の形態について、図面を参照にしながら説明する。なお、この実施の形態によって本発明が限定されるものではない。
【００１２】
（実施の形態１）
図１は、本発明の実施の形態１における調理器の回路図を示し、図２は同調理器のブロック図を示すものである。なお、本実施の形態では自動製パン機について説明する。
【００１３】
図２に示すように、電源プラグ１は自動製パン機（調理器）への電源供給を行うものであり、ヒータ８はパン容器を含む焼成室内を加熱するものである。モータ９はパン容器内の生地をこねるために羽根を回転させるものである。サーミスタ１０は焼成室内の温度を検知するものであり、制御手段１５は電源プラグ１からの電源供給によってヒータ８やモータ９を駆動するもので、マイクロコンピュータを含むものである。
【００１４】
つぎに、図１に示すように、マイクロコンピュータ２は、上述の制御手段１５を構成するもので、メニューの設定や現在時刻の計時機能を有している。表示装置３は、液晶表示装置により構成し、メニュー、調理状態や現在時刻などを表示するようにしている。スイッチ４はメニューの設定や調理のスタート時などに操作するものである。一次電池５はマイクロコンピュータ２にバックアップ用の電源供給するものであり、電気二重層コンデンサ６は、同様にマイクロコンピュータ２にバックアップ用の電源供給するもので、電源プラグ１からの電源供給停止時に、電気二重層コンデンサ６および一次電池５によりマイクロコンピュータ２へ電源供給を行うよう構成している。ＺＶＰ検知回路７は電源プラグ１からの電源供給の正弦波を検知するものである。
【００１５】
ここで、電源プラグ１からの電源供給停止時には、最初に電気二重層コンデンサ６からマイクロコンピュータ２へ電源供給を行い、続いて一次電池５からマイクロコンピュータ２へ電源供給を行うようにしている。また、電気二重層コンデンサ６からマイクロコンピュータ２への電源供給時の状態を表示装置３に表示するようにし、一次電池５からのマイクロコンピュータ２への電源供給時の状態では、表示装置３に表示する表示を停止するようにしている。
【００１６】
上記構成において、電源プラグ１からの電源供給停止時の動作について説明する。
【００１７】
まず、電源プラグ１から電源供給時においては、マイクロコンピュータ２からの信号により表示装置３に「現在時刻」を表示している（待機状態）。また、電気二重層コンデンサ６へは充電が行われている。電源プラグ１を外して、電源供給停止に切り替わると、ＺＶＰ検知回路７からの正弦波の信号がなくなることで、マイクロコンピュータ２からの信号により、表示装置３に「電源オフ」と「現在時刻」の表示に切り替える（バックアップ１状態）。また、電気二重層コンデンサ６の電荷により、マイクロコンピュータ２への電源供給は継続される。ここで、電気二重層コンデンサ６の電圧は５．５Ｖで電気容量は１Ｆ（ファラッド）に設定されていて、マイクロコンピュータ２の駆動電源として３Ｖを維持するには、最低４Ｖまでの電圧が必要となる。また、電源プラグ１停止時のマイクロコンピュータ２の負荷電流は２０μＡとなり、つぎの式により、マイクロコンピュータ２の電気二重層コンデンサ６による駆動可能時間ｔは、約７５０００秒となる。約７５０００秒は、約２１時間となる。
【００１８】
ｔ＝Ｃ×（Ｖ０−Ｖ１）／Ｉ＝１×（５．５−４）／０．００００２＝７５０００  電気二重層コンデンサ６による電源供給が２１時間を越えてくると、マイクロコンピュータ２の電源駆動として３Ｖが不可となり、一次電池５への駆動に切り替わり、マイクロコンピュータ２により、表示装置３は、オフとなる（バックアップ２状態）。この状態では、表示装置３をオフすることで、マイクロコンピュータ２の負荷電流を減らして、一次電池５の消費電流を軽減する。ここで、電源プラグ１が再度、コンセントに接続されて電源供給に切り替わると、マイクロコンピュータ２からの信号により表示装置３に「現在時刻」を表示する（待機状態）。また、電気二重層コンデンサ６へは充電が再開される。
【００１９】
なお、バックアップ１状態やバックアップ２状態においても、マイクロコンピュータ２は現在時刻を維持するために、時刻の計時は行っているため、少なからず負荷電流は発生する。
【００２０】
自動製パン機での調理時間は４時間となっているので、毎日、自動製パン機を４時間駆動して、それ以外の時間は電源プラグ１をオフしても、一次電池５の消費電流を軽減することができる。
【００２１】
また、一次電池５は取り外しが可能となっているので、一次電池５の電流容量が無くなった場合にも、交換が可能となっている。
【００２２】
以上のように、本実施の形態においては、電源プラグ１からの電源供給停止時に、電気二重層コンデンサ６および一次電池５によりマイクロコンピュータ２へ電源供給を行うよう構成したので、電源プラグ１からの電源供給停止時には、一次電池５および電気二重層コンデンサ６からマイクロコンピュータ２へ電源供給を行うことで、一次電池５の消費電流を減らすことができる。
【００２３】
また、電源プラグ１からの電源供給停止時には、最初に電気二重層コンデンサ６からマイクロコンピュータ２へ電源供給を行い、続いて一次電池５からマイクロコンピュータ２へ電源供給を行うようにしたので、一次電池５の消費電流をさらに減らすことができる。
【００２４】
また、電気二重層コンデンサ６や一次電池５からマイクロコンピュータ２への電源供給時の状態を表示装置３に表示するようにしたので、使用者は、現在電気二重層コンデンサ６により電源供給を行っているのか、一次電池５により電源供給を行っているかをすぐに知ることができる。
【００２５】
また、一次電池５からのマイクロコンピュータ２への電源供給時の状態では、表示装置３に表示する表示を停止するようにしたので、一次電池５の消費電流をさらに減らすことができる。
【００２６】
なお、本実施の形態では、電気二重層コンデンサ６の電圧を５．５Ｖ、電気容量を１Ｆ、マイクロコンピュータ２の負荷電流を２０μＡとしているが、これらの値は一例で、これに限定するものではない。
【００２７】
（実施の形態２）
図３は、本発明の実施の形態２における調理器の回路図を示すものである。なお、本実施の形態でも自動製パン機について説明する。
【００２８】
図３に示すように、切り替え回路１１は、マイクロコンピュータ２からの信号によって電気二重層コンデンサ６または一次電池５からの電源供給を切り替えるようにしている。このとき、電気二重層コンデンサの６の充電時間に応じて、一次電池５の電源供給の切り
替えタイミングを可変するようにしている。他の構成は上記実施の形態１と同じであり、同一符号を付して説明を省略する。
【００２９】
上記構成において、電源プラグ１からの電源供給停止時の動作について説明する。
【００３０】
まず、電源プラグ１からの電源供給時においては、マイクロコンピュータ２からの信号により表示装置３に「現在時刻」を表示している（待機状態）。また、この状態においては、マイクロコンピュータ２の信号により切り替え回路１１によって、電気二重層コンデンサ６と電源回路とが繋がっているため、電気二重層コンデンサ６への充電が行われている。電源プラグ１を外して、電源供給停止に切り替わると、ＺＶＰ検知回路７からの正弦波の信号がなくなることで、マイクロコンピュータ２からの信号により表示装置３に「コンデンサオン」と「現在時刻」の表示に切り替える（バックアップ１状態）。また、マイクロコンピュータ２は、バックアップ１状態に変わってからの時間計時を開始する。さらに、この状態においては、マイクロコンピュータ２の信号により切り替え回路１１によって、電気二重層コンデンサ６と電源回路とが継続して繋がっているため、電気二重層コンデンサ６によって、マイクロコンピュータ２への電源供給は継続される。ここで、電気二重層コンデンサ６の電圧は３Ｖで、電気容量は２Ｆに設定されていて、マイクロコンピュータの駆動電源として２Ｖを維持するには、最低２．５Ｖまでの電圧が必要となる。また、電源プラグ１停止時のマイクロコンピュータ２の負荷電流は２０μＡとなり、つぎの式により、マイクロコンピュータ２の電気二重層コンデンサ６による駆動可能時間は、約５００００秒となる。約５００００秒は、約１４時間となる。
【００３１】
ｔ＝Ｃ×（Ｖ０−Ｖ１）／Ｉ＝２×（３−２．５）／０．００００２＝５００００
マイクロコンピュータ２の時間計時が１０時間を越えると、マイクロコンピュータ２の信号により切り替え回路１１によって、電気二重層コンデンサ６から一次電池５に電源の接続が切り替わる。また、マイクロコンピュータ２により、表示装置３に「電池オン」と「現在時刻」の表示に切り替える（バックアップ２状態）。
【００３２】
ここで、電気二重層コンデンサ６から一次電池５に電源の接続が切り替わるタイミングを１０時間で切り替えるようにしているが、電気二重層コンデンサ６の充電時間に応じて、一次電池５の電源供給の切り替えタイミングを可変するようにしており、実際には、つぎの関係により決定する。
【００３３】
待機状態での充電時間が３０分を超えている場合には１０時間となり、充電時間が２０分以上から３０分未満では、６時間となり、充電時間が１０分以上から２０分未満では、２時間となる。また、充電時間が１０分未満では、０時間に設定する。
【００３４】
以上のように、本実施の形態においては、電気二重層コンデンサ６や一次電池５からの電源供給をマイクロコンピュータ２によって切り替える切り替え回路１１を使用することで、電気二重層コンデンサ６をマイクロコンピュータ２近くに配置可能となり、電気二重層コンデンサ６の耐圧も減らすことができ安価に構成することができるとともに、一次電池５の消費電流を減らすことができる。
【００３５】
また、電気二重層コンデンサ６の充電時間に応じて、一次電池５の電源供給の切り替えタイミングを可変するようにしたので、電気二重層コンデンサ６の充電時間に応じて、一次電池５への切り替えタイミングを切り替えることで、より正確に、一次電池５への電源供給に切り替えることができるので、一次電池５の消費電流を無駄なく減らすことができる。
【００３６】
なお、本実施の形態では、電気二重層コンデンサ６の電圧を３Ｖ、電気容量を２Ｆ、マ
イクロコンピュータ２の負荷電流を２０μＡとしているが、これらの値は一例で、これに限定するものではない。
【産業上の利用可能性】
【００３７】
以上のように、本発明にかかる調理器は、電源プラグからの電源供給停止時に、電気二重層コンデンサおよび一次電池から電源供給することにより、一次電池の消費電流を減らすことができるので、電源プラグからの電源供給が停止した場合のバックアップ用電源を有する調理器として有用である。
【図面の簡単な説明】
【００３８】
【図１】本発明の実施の形態１における調理器の回路図
【図２】同調理器のブロック図
【図３】本発明の実施の形態２における調理器の回路図
【図４】従来の調理器の回路図
【符号の説明】
【００３９】
１  電源プラグ
２  マイクロコンピュータ
５  一次電池
６  電気二重層コンデンサ
【図１】
0005256830.tif 000002
【図２】
0005256830.tif 000003
【図３】
0005256830.tif 000004
【図４】
0005256830.tif 000005